(57)【特許請求の範囲】
【請求項１】
予め定めた複数の色各々に対する見本画像から構成される複数色の色見本を単一色により生成するよう特定の画像形成装置に指示する指示手段と、
前記複数色の色見本に含まれる見本画像の色と、前記特定の画像形成装置により単一色で生成された色見本に含まれる見本画像の情報とを対応付けて記憶する記憶手段と、
複数色の画像を前記特定の画像形成装置により単一色で印刷した印刷画像を読み取った画像である読取画像を受付ける読取画像受付手段と、
前記読取画像受付手段により受付けた単一色の読取画像について、前記記憶手段によって記憶されている対応付けに基づいて複数色に変換する色変換手段と、
前記色変換手段により変換された複数色の画像を表示する表示手段と
を有する画像処理装置。
【請求項２】
前記記憶手段は、前記単一色の色見本に含まれる見本画像の明度又は網点の配列の少なくともいずれか一方と前記複数色の色見本に含まれる見本画像の色を対応付けて記憶し、
前記色変換手段は、前記読取画像受付手段により受付けた単一色の読取画像の明度又は網点の配列のうち、前記記憶手段で対応付けに用いた一方に基づいて、複数色に変換する
請求項１記載の画像処理装置。
【請求項３】
前記記憶手段は、周期的に繰り返される網点の配列について、周期に応じた大きさの単一色の見本画像の情報と、前記複数色の色見本に含まれる見本画像の色とを対応付ける
請求項２記載の画像処理装置。
【請求項４】
色の指定を受付ける指定色受付手段と、
色変換対象の単一色の部分画像を前記指定色受付手段が受付けた色に変換する指定色変換手段と
をさらに有する請求項１乃至３記載の画像処理装置。
【請求項５】
色変換対象の単一色の部分画像に隣接する単一色の部分画像に対する前記色変換手段による色変換を参照して推測した色により、該色変換対象の単一色の部分画像の色を変換する推測色変換手段
をさらに有する請求項１乃至４記載の画像処理装置。
【請求項６】
複数色の画像について、単一色で印刷する単一色印刷手段
を有する画像形成装置と、
予め定めた複数の色各々に対する見本画像から構成される複数色の色見本を単一色により生成するよう特定の画像形成装置に指示する指示手段と、
前記複数色の色見本に含まれる見本画像の色と、前記特定の画像形成装置により単一色で生成された色見本に含まれる見本画像の情報とを対応付けて記憶する記憶手段と、
複数色の画像を前記画像形成装置により単一色で印刷した印刷画像を読み取った画像である読取画像を受付ける読取画像受付手段と、
前記読取画像受付手段により受付けた単一色の読取画像について、前記記憶手段によって記憶されている対応付けに基づいて複数色に変換する色変換手段と、
前記色変換手段により変換された複数色の画像を表示する表示手段と
を有する画像処理装置と
を備える画像処理システム。
【請求項７】
予め定めた複数の色各々に対する見本画像から構成される複数色の色見本を単一色により生成するよう特定の画像形成装置に指示する指示ステップと、
前記複数色の色見本に含まれる見本画像の色と、前記特定の画像形成装置により単一色で生成された色見本に含まれる見本画像の情報とを対応付けて記憶する記憶ステップと、
複数色の画像を前記特定の画像形成装置により単一色で印刷した印刷画像を読み取った画像である読取画像を受付ける読取画像受付ステップと、
前記読取画像受付ステップにより受付けた単一色の読取画像について、前記記憶ステップによって記憶されている対応付けに基づいて複数色に変換する色変換ステップと、
前記色変換ステップにより変換された複数色の画像を表示する表示ステップと
をコンピュータに実行させるプログラム。
【発明の詳細な説明】
【技術分野】
【０００１】
本発明は、画像処理装置、画像形成装置、画像処理システム及びプログラムに関する。
【背景技術】
【０００２】
特許文献１は、モノクロ画像をカラー画像に変換する画像処理方法として、モノクロ画像の画素値（明るさ）と色とを対応付ける変換テーブルを参照して、カラー画像に変換する画像処理方法について開示している。
【先行技術文献】
【特許文献】
【０００３】
【特許文献１】特開２０１１−４９７３４号公報
【発明の概要】
【発明が解決しようとする課題】
【０００４】
本発明の目的は、複数色の画像を単一色で印刷した画像を基にして、複数色の画像を取得することができる画像処理装置、画像形成装置、画像処理システム及びプログラムを提供することである。
【課題を解決するための手段】
【０００５】
［画像処理装置］
請求項１に係る本発明は、予め定めた複数の色各々に対する見本画像から構成される複数色の色見本を単一色により生成するよう特定の画像形成装置に指示する指示手段と、前記複数色の色見本に含まれる見本画像の色と、前記特定の画像形成装置により単一色で生成された色見本に含まれる見本画像の情報とを対応付けて記憶する記憶手段と、複数色の画像を前記特定の画像形成装置により単一色で印刷した印刷画像を読み取った画像である読取画像を受付ける読取画像受付手段と、前記読取画像受付手段により受付けた単一色の読取画像について、前記記憶手段によって記憶されている対応付けに基づいて複数色に変換する色変換手段と、前記色変換手段により変換された複数色の画像を表示する表示手段とを有する画像処理装置である。
【０００６】
請求項２に係る本発明は、前記記憶手段は、前記単一色の色見本に含まれる見本画像の明度又は網点の配列の少なくともいずれか一方と前記複数色の色見本に含まれる見本画像の色を対応付けて記憶し、前記色変換手段は、前記読取画像受付手段により受付けた単一色の読取画像の明度又は網点の配列のうち、前記記憶手段で対応付けに用いた一方に基づいて、複数色に変換する請求項１記載の画像処理装置である。
【０００７】
請求項３に係る本発明は、前記記憶手段は、周期的に繰り返される網点の配列について、周期に応じた大きさの単一色の見本画像の情報と、前記複数色の色見本に含まれる見本画像の色とを対応付ける請求項２記載の画像処理装置である。
【０００８】
請求項４に係る本発明は、色の指定を受付ける指定色受付手段と、色変換対象の単一色の部分画像を前記指定色受付手段が受付けた色に変換する指定色変換手段とをさらに有する請求項１乃至３記載の画像処理装置である。
【０００９】
請求項５に係る本発明は、色変換対象の単一色の部分画像に隣接する単一色の部分画像に対する前記色変換手段による色変換を参照して推測した色により、該色変換対象の単一色の部分画像の色を変換する推測色変換手段をさらに有する請求項１乃至４記載の画像処理装置である。
【００１１】
［画像処理システム］
請求項６に係る本発明は、複数色の画像について、単一色で印刷する単一色印刷手段
を有する画像形成装置と、予め定めた複数の色各々に対する見本画像から構成される複数色の色見本を単一色により生成するよう特定の画像形成装置に指示する指示手段と、前記複数色の色見本に含まれる見本画像の色と、前記特定の画像形成装置により単一色で生成された色見本に含まれる見本画像の情報とを対応付けて記憶する記憶手段と、複数色の画像を前記画像形成装置により単一色で印刷した印刷画像を読み取った画像である読取画像を受付ける読取画像受付手段と、前記読取画像受付手段により受付けた単一色の読取画像について、前記記憶手段によって記憶されている対応付けに基づいて複数色に変換する色変換手段と、前記色変換手段により変換された複数色の画像を表示する表示手段とを有する画像処理装置とを備える画像処理システムである。
【００１２】
［プログラム］
請求項７に係る本発明は、予め定めた複数の色各々に対する見本画像から構成される複数色の色見本を単一色により生成するよう特定の画像形成装置に指示する指示ステップと、前記複数色の色見本に含まれる見本画像の色と、前記特定の画像形成装置により単一色で生成された色見本に含まれる見本画像の情報とを対応付けて記憶する記憶ステップと、複数色の画像を前記特定の画像形成装置により単一色で印刷した印刷画像を読み取った画像である読取画像を受付ける読取画像受付ステップと、前記読取画像受付ステップにより受付けた単一色の読取画像について、前記記憶ステップによって記憶されている対応付けに基づいて複数色に変換する色変換ステップと、前記色変換ステップにより変換された複数色の画像を表示する表示ステップとをコンピュータに実行させるプログラムである。
【発明の効果】
【００１３】
請求項１に係る本発明によれば、複数色の画像を単一色で印刷した画像を基にして、複数色の画像を表示することができる画像処理装置を提供することができる。
【００１４】
請求項２に係る本発明によれば、請求項１に係る本発明の効果に加え、本構成を有していない場合と比べ、より再現性の高い複数色の画像を表示することができる画像形成装置を提供することができる。
【００１５】
請求項３に係る本発明によれば、請求項２に係る本発明の効果に加え、本構成を有していない場合と比べ、対応付けに必要とされるデータ量を抑制することができる。
【００１６】
請求項４に係る本発明によれば、請求項１乃至３に係る本発明の効果に加え、対応付けに基づく色変換が行なえない場合であっても、ユーザにより指定された色を用いて複数色の画像を表示することができる画像処理装置を提供することができる。
【００１７】
請求項５に係る本発明によれば、請求項１乃至４に係る本発明の効果に加え、対応付けによる色変換が行なえない場合であっても、推測された色を用いて複数色の画像を表示することができる画像処理装置を提供することができる。
【００１９】
請求項６に係る本発明によれば、複数色の画像を単一色で印刷した画像を基にして、複数色の画像を表示することができる画像処理システムを提供することができる。
【００２０】
請求項７に係る本発明によれば、複数色の画像を単一色で印刷した画像を基にして、複数色の画像を表示することができるプログラムを提供することができる。
【図面の簡単な説明】
【００２１】
【図１】本発明の第１実施形態に係る情報処理システム２を示す模式図である。
【図２】本発明の第１実施形態に係る情報処理システム２における画像形成装置１０の断面図である。
【図３】本発明の第１実施形態に係る情報処理システム２における画像形成装置１０のハードウェア構成を示す模式図である。
【図４】本発明の第１実施形態に係る画像形成装置１０における画像処理部２６の機能構成を示すブロック図である。
【図５】本発明の第１実施形態に係る情報処理システム２における画像処理装置６のハードウェア構成を示す模式図である。
【図６】本発明の第１実施形態に係る制御プログラムが実行されることにより実現される画像処理装置６の機能構成を示すブロック図である。
【図７】色見本画像データ記憶部１４４が記憶する色見本画像データの一例を示す平面図である。
【図８】対応付け部１５０が解析する網点配列の第一の例を示す模式図である。
【図９】対応付け部１５０が解析する網点配列の第二の例を示す模式図である。
【図１０】対応関係を示すデータであるテーブルを生成する動作を示すフローチャートである。
【図１１】単一色の画像を色変換して表示する動作を示すフローチャートである。
【図１２】本発明の第２の実施形態に係る画像形成装置１０における画像処理部１６２の機能構成を示すブロック図である。
【図１３】単一色の画像を色変換して印刷する動作を示すフローチャートである。
【発明を実施するための形態】
【００２２】
以下、本発明の第１の実施形態について図面を参照して詳細に説明する。
【００２３】
図１は、本発明の実施形態に係る情報処理システム２を示す模式図である。図１に示すように情報処理システム２は、無線通信ネットワーク４に無線通信により接続された画像処理装置６と、ネットワーク８に接続された画像形成装置１０とを有する。
【００２４】
また、無線通信ネットワーク４は、ネットワーク８と接続されており、画像処理装置６と画像形成装置１０とは、互いにデータを送受信することができるようにされている。なお、画像処理装置６は、ネットワーク８に有線通信により接続されていてもよいし、ネットワーク８を介さずに直接的に画像形成装置１０に接続されていてもよい。
【００２５】
まず、画像形成装置１０について説明する。
図２は、本発明の実施形態に係る情報処理システム２における画像形成装置１０の断面図である。
【００２６】
図２に示すように、画像形成装置１０は、通信装置１２、画像読取ユニット１４、画像形成ユニット１６、中間転写ベルト１８、用紙トレイ２０、用紙搬送路２２、定着器２４、画像処理部２６及びユーザインタフェース（ＵＩ）装置２８を有する。
【００２７】
この画像形成装置１０は、通信装置１２によってネットワーク８を介して画像処理装置６などから受信した画像データを印刷するプリント機能に加えて、画像読取ユニット１４を用いて読み取った画像データを印刷する複写機としての機能を備えている。ここで、画像形成装置１０は、印刷機能として、複数色での印刷（カラー印刷）及び単一色での印刷（モノクロ印刷）を行なうことができる。
【００２８】
まず、画像形成装置１０の概略を説明すると、画像形成装置１０の上部には、通信装置１２、画像読取ユニット１４及び画像処理部２６が配設されている。通信装置１２は、ネットワーク８を介して画像処理装置６等の外部の装置と通信を行う装置である。画像読取ユニット１４は、原稿３０に表示された画像を読み取って、画像処理部２６に対して出力する。画像処理部２６は、画像読取ユニット１４から入力された画像データ、又は、ＬＡＮなどのネットワーク８を介して画像処理装置６等から入力された画像データに対して、後述する処理を施し、画像形成ユニット１６に対して出力する。
【００２９】
画像形成装置１０の上面には、例えばタッチパネルなどのＵＩ装置２８が設けられている。ＵＩ装置２８は、画像形成装置１０の制御情報や指示情報などを表示すると共に、指示情報などのユーザによる入力を受入れる。即ち、ユーザは、ＵＩ装置２８を介して画像形成装置１０を操作することができる。なお、ＵＩ装置２８は、スイッチなどの入力のみを受入れるものであってもよいし、表示などの出力のみを行うものであってもよく、これらを組み合わせたものであってもよい。
【００３０】
画像読取ユニット１４の下方には、カラー画像を構成する色に対応して、複数の画像形成ユニット１６が配設されている。本実施形態では、黒（Ｋ）、イエロー（Ｙ）、マゼンタ（Ｍ）、シアン（Ｃ）の各色に対応して第１の画像形成ユニット１６Ｋ、第２の画像形成ユニット１６Ｙ、第３の画像形成ユニット１６Ｍ及び第４の画像形成ユニット１６Ｃが、中間転写ベルト１８に沿って間隔を空けて水平に配列されている。中間転写ベルト１８は、中間転写体として図中矢印Ａの方向に回動する。
【００３１】
複数色での印刷機能を実現する場合、これら４つの画像形成ユニット１６Ｋ、１６Ｙ、１６Ｍ、１６Ｃは、画像処理部２６から入力された画像データに基づいて各色のトナー像を順次形成し、これら複数のトナー像が互いに重ね合わせられるタイミングで中間転写ベルト１８に転写（一次転写）する。なお、各画像形成ユニット１６Ｋ、１６Ｙ、１６Ｍ、１６Ｃの色の順序は、黒（Ｋ）、イエロー（Ｙ）、マゼンタ（Ｍ）、シアン（Ｃ）の順に限定されるものではなく、イエロー（Ｙ）、マゼンタ（Ｍ）、シアン（Ｃ）、黒（Ｋ）の順序など、その順序は任意である。以下、複数色での印刷をカラー印刷という。
【００３２】
一方、単一色での印刷機能を実現する場合、４つの画像形成ユニットのうち画像形成ユニット１６Ｋが、画像処理部２６から入力された画像データに基づいて黒色のトナー像を形成し、中間転写ベルト１８に転写（一次転写）することにより単一色での印刷を行なう。なお、単一色での印刷としては、黒色のトナー像に限らず、他の単一色のトナー像を転写してもよい。以下、単一色での印刷をモノクロ印刷という。
【００３３】
用紙搬送路２２は、中間転写ベルト１８の下方に配設されている。用紙トレイ２０から供給された記録用紙３２は、この用紙搬送路２２上を搬送され、上記中間転写ベルト１８上に多重に転写された各色のトナー像が一括して転写（二次転写）され、転写されたトナー像が定着器２４によって定着され、矢印Ｂに沿って外部に排出される。なお、モノクロ印刷の場合は、中間転写ベルト１８上に転写された黒色のトナー像のみが転写（二次転写）される。
【００３４】
次に、画像形成装置１０の各構成についてより詳細に説明する。
図２に示すように、画像読取ユニット１４は、原稿３０を載せるプラテンガラス３４と、この原稿３０をプラテンガラス３４上に押圧するプラテンカバー３６と、プラテンガラス３４上に載置された原稿３０の画像を読み取る画像読取部３８とを有する。この画像読取部３８は、プラテンガラス３４上に載置された原稿３０を光源４０によって照明し、原稿３０からの反射光像を、フルレートミラー４２、第１のハーフレートミラー４４、第２のハーフレートミラー４６及び結像レンズ４８からなる縮小光学系を介して、ＣＣＤ等からなる画像読取素子５０上に走査露光して、この画像読取素子５０によって原稿３０の色材反射光像を予め定められたドット密度で読み取るように構成されている。
【００３５】
画像処理部２６は、画像読取ユニット１４により読み取られた画像データ、又は、ネットワーク８を介して入力された画像データに対して、後述する色空間変換処理、スクリーン処理等の画像処理を施す。なお、画像読取ユニット１４により読み取られた原稿３０の色材反射光像は、例えば、赤（Ｒ）、緑（Ｇ）、青（Ｂ）の３色の原稿反射率データであり、画像処理部２６による画像処理によって、イエロー（Ｙ）、マゼンタ（Ｍ）、シアン（Ｃ）、黒（Ｋ）の４色の原稿色材階調データに変換される。ただし、モノクロ印刷を行なう場合にあっては、黒（Ｋ）のみの原稿色材階調データに変換される。
【００３６】
第１の画像形成ユニット１６Ｋ、第２の画像形成ユニット１６Ｙ、第３の画像形成ユニット１６Ｍ及び第４の画像形成ユニット１６Ｃは、水平方向に間隔をおいて並列的に配置され、形成する画像の色が異なる他は、ほぼ同様に構成されている。そこで、以下、第１の画像形成ユニット１６Ｋについて説明する。なお、各画像形成ユニット１６の構成は、Ｋ、Ｙ、Ｍ又はＣを付すことにより区別する。
【００３７】
画像形成ユニット１６Ｋは、画像処理部２６から入力された画像データに応じてレーザ光を走査する光走査装置５２Ｋと、この光走査装置５２Ｋにより走査されたレーザ光により静電潜像が形成される像形成装置５４Ｋとを有する。
【００３８】
光走査装置５２Ｋは、半導体レーザ５６Ｋを黒色（Ｋ）の画像データに応じて変調して、この半導体レーザ５６Ｋからレーザ光ＬＢ（Ｋ）を画像データに応じて出射する。この半導体レーザ５６Ｋから出射されたレーザ光ＬＢ（Ｋ）は、第１の反射ミラー５８Ｋ及び第２の反射ミラー６０Ｋを介して回転多面鏡６２Ｋに照射され、この回転多面鏡６２Ｋよって偏向走査され、第２の反射ミラー６０Ｋ、第３の反射ミラー６４Ｋ及び第４の反射ミラー６６Ｋを介して、像形成装置５４Ｋの感光体ドラム６８Ｋ上に照射される。
【００３９】
像形成装置５４Ｋは、矢印Ａの方向に沿って所定の回転速度で回転する像担持体としての感光体ドラム６８Ｋと、この感光体ドラム６８Ｋの表面を一様に帯電する帯電手段としての一次帯電用のスコロトロン７０Ｋと、感光体ドラム６８Ｋ上に形成された静電潜像を現像する現像器７２Ｋと、クリーニング装置７４Ｋとから構成されている。感光体ドラム６８Ｋは、スコロトロン７０Ｋにより一様に帯電され、光走査装置５２Ｋにより照射されたレーザ光ＬＢ（Ｋ）により静電潜像を形成される。感光体ドラム６８Ｋに形成された静電潜像は、現像器７２Ｋにより黒色（Ｋ）のトナーで現像され、中間転写ベルト１８に転写される。なお、トナー像の転写工程の後に感光体ドラム６８Ｋに付着している残留トナー及び紙粉等は、クリーニング装置７４Ｋによって除去される。
【００４０】
他の画像形成ユニット１６Ｙ、１６Ｍ及び１６Ｃも、上記と同様に、イエロー（Ｙ）、マゼンタ（Ｍ）、シアン（Ｃ）の各色のトナー像を形成し、形成された各色のトナー像を中間転写ベルト１８に転写する。
【００４１】
中間転写ベルト１８は、ドライブロール７６と、第１のアイドルロール７８と、ステアリングロール８０と、第２のアイドルロール８２と、バックアップロール８４と、第３のアイドルロール８６との間に一定のテンションで掛け回されており、駆動モータ（不図示）によってドライブロール７６が回転駆動されることにより、矢印Ａの方向に、定められた速度で循環駆動される。この中間転写ベルト１８は、例えば、可撓性を有するポリイミド等の合成樹脂フィルムを帯状に形成し、この帯状に形成された合成樹脂フィルムの両端を溶着等によって接続することにより無端ベルト状に形成されたものである。
【００４２】
また、中間転写ベルト１８には、各画像形成ユニット１６Ｋ、１６Ｙ、１６Ｍ、１６Ｃに対向する位置にそれぞれ第１の一次転写ロール８８Ｋ、第２の一次転写ロール８８Ｙ、第３の一次転写ロール８８Ｍ及び第４の一次転写ロール８８Ｃが配設され、感光体ドラム６８Ｋ、６８Ｙ、６８Ｍ、６８Ｃ上に形成された各色のトナー像は、これらの一次転写ロール８８により中間転写ベルト１８上に多重に転写される。なお、中間転写ベルト１８に付着した残留トナーは、二次転写位置の下流に設けられたベルト用クリーニング装置９０のクリーニングブレード又はブラシにより除去される。
【００４３】
用紙搬送路２２には、用紙トレイ２０から記録用紙３２を取り出す給紙ローラ９２と、用紙搬送用の第１のローラ対９４、第２のローラ対９６及び第３のローラ対９８と、記録用紙３２を既定のタイミングで二次転写位置に搬送するレジストロール１００とが配設される。
【００４４】
また、用紙搬送路２２上の二次転写位置には、バックアップロール８４に圧接する二次転写ロール１０２が配設されており、中間転写ベルト１８上に多重に転写された各色のトナー像は、この二次転写ロール１０２による圧接力及び静電気力で記録用紙３２上に二次転写される。各色のトナー像が転写された記録用紙３２は、第１の搬送ベルト１０４及び第２の搬送ベルト１０６によって定着器２４へと搬送される。
定着器２４は、上記各色のトナー像が転写された記録用紙３２に対して加熱処理及び加圧処理を施すことにより、トナーを記録用紙３２に溶融固着させる。
【００４５】
図３は、本発明の実施形態に係る情報処理システム２における画像形成装置１０のハードウェア構成を示す模式図である。
【００４６】
図３に示すように、画像形成装置１０は、ＣＰＵ１０８、メモリ１１０、記憶装置１１２、ユーザインタフェース（ＵＩ）装置２８、通信装置１２、画像読取ユニット１４及び画像形成ユニット１６を有し、画像形成装置１０は、画像処理装置６及びネットワーク８との通信が可能なコンピュータとしての構成部分を有している。
【００４７】
ＣＰＵ１０８は、メモリ１１０に記憶されたプログラムに基づく処理を実行する。記憶装置１１２は、例えば内蔵ＨＤＤなどである。なお、ＣＰＵ１０８は、記憶装置１１２に記憶されたプログラムを実行してもよい。
【００４８】
また、ＣＰＵ１０８は、メモリカード等の記憶媒体１１４に格納されたプログラムを実行してもよく、又は通信装置１２を介して提供されるプログラムを実行してもよい。
【００４９】
ＵＩ装置２８は、上述のとおり、例えばタッチパネルなどとして構成され、情報を表示する表示装置としての機能、及び、ユーザによってなされる入力を受付ける入力受付装置としての機能を備える。
【００５０】
通信装置１２は、ネットワーク８（無線通信ネットワーク４）を介して画像処理装置６等の外部の装置と通信を行う装置である。また、画像読取ユニット１４及び画像形成ユニット１６については、上述のとおりである。
【００５１】
図４は、画像処理部２６の機能構成を示すブロック図である。
図４に示すように、画像処理部２６は、入力画像受付部１１６、カラー色空間変換部１１８、カラースクリーン処理部１２０Ｃ、１２０Ｍ、１２０Ｙ、１２０Ｋ、モノクロ色空間変換部１２２、網点配列記憶部１２４、網点配列選択部１２６及びモノクロスクリーン処理部１２８を有する。
【００５２】
なお、画像処理部２６に含まれる上記各構成は、上記のＣＰＵ１０８、メモリ１１０及びプログラムなどによりソフトウェア的に実現されてもよいし、ＡＳＩＣなどによりハードウェア的に実現されてもよい。
【００５３】
画像処理部２６において、入力画像受付部１１６は、画像読取ユニット１４又は画像処理装置６等から、例えばＲＧＢ色空間で表現された入力画像データを受付ける。入力画像受付部１１６は、カラー印刷を行なう場合には、受付けた入力画像データをカラー色空間変換部１１８に出力し、モノクロ印刷を行なう場合には、受付けた入力画像データをモノクロ色空間変換部１２２及び網点配列選択部１２６に出力する。
【００５４】
まず、カラー印刷を行なう場合について説明する。
カラー色空間変換部１１８は、入力画像受付部１１６が出力した入力画像データをシアン（Ｃ）、マゼンタ（Ｍ）、イエロー（Ｙ）およびブラック（Ｋ）の各データに変換し、カラースクリーン処理部１２０Ｃ、１２０Ｍ、１２０Ｙ及び１２０Ｋに出力する。
【００５５】
カラースクリーン処理部１２０Ｃ、１２０Ｍ、１２０Ｙ及び１２０Ｋでは、それぞれ、カラー色空間変換部１１８が出力した多値画像データに対して、スクリーン処理（網点処理）を行い、濃度階調を有する多値画像データを２値画像データに変換する。カラースクリーン処理部１２０Ｃ、１２０Ｍ、１２０Ｙ及び１２０Ｋのスクリーン処理により生成された２値画像データは、画像形成ユニット１６に出力される。
【００５６】
次に、モノクロ印刷を行なう場合について、説明する。本実施形態に係る画像形成装置１０では、カラー画像を単一色で印刷する場合、カラー画像の色に基づいて選択された網点配列により、２値画像データを生成する。ここで、網点配列とは、網点の形状、スクリーン角度、解像度等により特定される網点の配列（ドットパターン）をいう。
【００５７】
モノクロ色空間変換部１２２は、入力画像受付部１１６が出力した入力画像データをブラック（Ｋ）のデータに変換し、モノクロスクリーン処理部１２８に出力する。
【００５８】
網点配列記憶部１２４は、複数の予め定められた色に対し、それぞれの色の画像データをスクリーン処理する際に用いる網点配列を色ごとに記憶する。この色ごとの複数の網点配列を第１の網点配列と言うこととする。また、網点配列記憶部１２４は、上記複数の予め定められた色以外の色の画像データをスクリーン処理する際に用いる網点配列を記憶する。この網点配列を第２の網点配列と言うこととする。ここで、第１の網点配列の各網点配列及び第２の網点配列は、いずれも相互に異なる網点配列である。
【００５９】
網点配列選択部１２６は、入力画像受付部１１６が出力した入力画像データに含まれる色に基づいて、スクリーン処理する際に用いられる網点配列を網点配列記憶部１２４から読み出して、モノクロスクリーン処理部１２８に出力する。
【００６０】
網点配列選択部１２６は、入力画像データの中で、上記予め定められた色の部分については第１の網点配列のうち当該色に対応する網点配列を網点配列記憶部１２４から読み出して、モノクロスクリーン処理部１２８に出力する。また、網点配列選択部１２６は、入力画像データの中で、上記予め定められた色以外の部分については第２の網点配列を網点配列記憶部１２４から読み出して、モノクロスクリーン処理部１２８に出力する。
【００６１】
モノクロスクリーン処理部１２８は、モノクロ色空間変換部１２２が出力したブラック（Ｋ）の多値画像データに対し、網点配列選択部１２６により選択された網点配列に基づいてスクリーン処理を行い、２値画像データに変換する。モノクロスクリーン処理部１２８のスクリーン処理により生成された２値画像データは、画像形成ユニット１６に出力される。なお、モノクロスクリーン処理部１２８の処理により形成される網点については、図８及び図９を用いて後述する。
【００６２】
次に、画像処理装置６について説明する。
図５は、本発明の実施形態に係る情報処理システム２における画像処理装置６のハードウェア構成を示す模式図である。
【００６３】
図５に示すように、画像処理装置６は、ＣＰＵ１３０、メモリ１３２、記憶装置１３４、ユーザインタフェース（ＵＩ）装置１３６、通信装置１３８及び撮像装置１４０を有し、画像処理装置６は、ネットワーク８（無線通信ネットワーク４）を介して画像形成装置１０との通信が可能なコンピュータとしての構成部分を有している。なお、本実施形態では、画像処理装置６は、例えば携帯電話、スマートフォン、携帯情報端末（ＰＤＡ）などとして構成され、ユーザによって携帯される携帯端末である。
【００６４】
ＣＰＵ１３０は、例えばメモリ１３２に記憶された後述する制御プログラムに基づく処理を実行する。記憶装置１３４は、例えば内蔵ＨＤＤなどであり、後述するテーブルなどを記憶する。なお、ＣＰＵ１３０は、記憶装置１３４に記憶された制御プログラムを実行してもよい。
【００６５】
また、ＣＰＵ１３０は、メモリカード等の記憶媒体１４２に格納された制御プログラムを実行してもよく、又は通信装置１３８を介して提供される制御プログラムを実行してもよい。
【００６６】
ＵＩ装置１３６は、例えばタッチパネルなどとして構成され、情報を表示する表示装置としての機能、及び、ユーザによってなされる入力を受付ける入力受付装置としての機能を備える。
【００６７】
通信装置１３８は、ネットワーク８（無線通信ネットワーク４）を介して画像形成装置１０等の外部の装置と通信を行う装置である。
【００６８】
撮像装置１４０は、カメラであり、対象物を撮像し、画像データとして取得する。
【００６９】
図６は、制御プログラムが実行されることにより実現される画像処理装置６の機能構成を示すブロック図である。図６に示すように、画像処理装置６は、色見本画像データ記憶部１４４、印刷指示部１４６、読取画像受付部１４８、対応付け部１５０、対応関係記憶部１５２、色変換部１５４、指定色受付部１５６、指定色変換部１５８及び表示部１６０を有する。
【００７０】
色見本画像データ記憶部１４４は、予め定めた複数の色それぞれに対する濃度の異なる複数の見本画像から構成される画像データである色見本画像データを記憶する。
【００７１】
図７は、色見本画像データ記憶部１４４が記憶する色見本画像データの一例を示す平面図である。図７に示した例では、灰、黄、緑、青、赤、紫及び茶の７色について、それぞれ５段階の濃度の見本画像を含む色見本画像データを示している。
【００７２】
なお、以下の説明において、色見本画像データ記憶部１４４が記憶する色見本画像データについて、カラー色見本画像と言うことがある。また、色見本画像データ記憶部１４４が記憶する色見本画像データを構成する見本画像（図７に示した例では、全部で３５種の画像）についてカラー構成画像と言うことがある。
【００７３】
印刷指示部１４６は、色見本画像データ記憶部１４４が記憶する色見本画像データを単一色で印刷する指示を画像形成装置１０に対し指示し、色見本画像データを画像形成装置１０に出力する。
【００７４】
読取画像受付部１４８は、単一色で印刷された画像を撮像装置１４０により撮像して読み取った読取画像データを受付ける。また、受付けた読取画像データを対応付け部１５０又は色変換部１５４に出力する。ここで、読取画像受付部１４８は、印刷指示部１４６の指示により画像形成装置１０が単一色で印刷した画像を撮像して読み取った読取画像データについては、対応付け部１５０に出力し、他の読取画像データについては、色変換部１５４に出力する。なお、読取画像受付部１４８は、単一色で印刷された画像データとして、撮像装置１４０に限らず、例えば通信装置１３８を介して受信した画像データを受付けてもよい。
【００７５】
なお、以下の説明において、印刷指示部１４６の指示によりカラー色見本画像を画像形成装置１０が単一色で印刷した画像についての読取画像データをモノクロ色見本画像と言うことがある。また、モノクロ色見本画像に含まれるカラー構成画像に相当する単一色画像をモノクロ構成画像ということがある。
【００７６】
対応付け部１５０は、複数色の色見本に含まれる各見本画像の色を特定の画像形成装置により生成された単一色の色見本に含まれる見本画像の色と対応付ける。ここで、本実施形態では、対応付け部１５０は、単一色での印刷における特定の画像形成装置の特徴に基づいて対応付けを行なう構成について説明するが、対応付け部１５０は、必ずしも単一色で印刷された色見本について対応付けを行なう必要はなく、例えば、画像形成装置が複数色の色見本を単一色の色見本に変換したデータなどのように、画像形成装置により生成された単一色の色見本と対応付けを行なえばよい。
【００７７】
本実施形態では、明度及び網点配列に基づいて対応付けを行なう。なお、対応付け部１５０は、明度又は網点配列のいずれか一方に基づいて対応付けを行なってもよい。また、明度又は網点配列に限らず、特定の画像形成装置が単一色の印刷をする際に色ごとに表れる当該画像形成装置固有の特徴に基づいて対応付けを行なってもよい。この場合、画像形成装置１０は、カラー画像を単一色で印刷する場合、カラー画像の色に基づいて網点配列を選択する構成としなくてもよい。
【００７８】
本実施形態では、読取画像受付部１４８が出力したモノクロ色見本画像に含まれる各モノクロ構成画像について、明度及び網点配列と色情報との対応関係を示すデータを生成して対応付けを行なう。具体的には、対応付け部１５０は、モノクロ構成画像の明度及び網点配列を解析し、当該モノクロ構成画像に相当するカラー構成画像の色情報と解析した明度及び網点配列とを互いに対応付けるテーブルを生成する。また、対応付け部１５０は、生成したテーブルを対応関係記憶部１５２に記憶する。
【００７９】
図８は、対応付け部１５０が解析する網点配列の第一の例を示す模式図である。上述したとおり、画像形成装置１０は、カラー画像を単一色で印刷する場合、カラー画像の色に基づいて選択された網点配列によりスクリーン処理を行なう。ここで、画像形成装置１０の網点配列記憶部１２４は、少なくともカラー構成画像の各色について上述の第１の網点配列を記憶しているものとする。これにより、モノクロ構成画像は、カラー構成画像の色（図７に示した例では、灰、黄、緑、青、赤、紫及び茶）ごとに、それぞれ異なる網点配列により網点が形成される。
【００８０】
図８に示した例では、黄のカラー構成画像についてのモノクロ構成画像の網点配列及び緑のカラー構成画像についてのモノクロ構成画像の網点配列を例示しており、両網点配列は、網点の形状はいずれもラインタイプであり同じであるが、解像度が異なった網点配列となっている。
【００８１】
図９は、対応付け部１５０が解析する網点配列の第二の例を示す模式図である。図８示した例では、ラインタイプの形状を持ち、解像度の異なる網点配列が画像形成装置により形成された場合を例示したが、図９に示した例では、ドットタイプの形状を持ち、解像度の異なる網点配列が画像形成装置により形成された場合の例を示している。
なお、図８又は図９に示した例に限らず、画像形成装置１０により、解像度は同じだが網点の形状が異なる網点配列が、異なる色に対してなされていてもよい。また、異なる色に対して、解像度も網点の形状も異なる網点配列が形成されてもよいし、スクリーン角度が異なる網点配列がなされていてもよい。
【００８２】
また、図８又は図９に示した例では、黄についてのモノクロ構成画像では、４×４Ｐｉｘｅｌで示される画像領域の網点配列が周期的に並んでおり、緑についてのモノクロ構成画像では、１６×１６Ｐｉｘｅｌで示される画像領域の網点配列が周期的に並んでいる。対応付け部１５０は、網点配列が表されたモノクロ構成画像の画像データと対応付けるべき色情報とから構成されるテーブルを対応関係記憶部１５２に記憶するが、このとき、記憶されるモノクロ構成画像の画像データの大きさは、周期に応じた画像の大きさとしてもよい。例えば、図８又は図９に示した例では、黄についての網点の周期は、緑についての網点の周期よりも小さいため、緑について記憶する画像データ（例えば、１６画素×１６画素）よりも小さい大きさのモノクロ構成画像の画像データ（例えば、４画素×４画素の大きさ）を記憶すればよい。
【００８３】
色変換部１５４は、単一色の画像を対応付け部１５０による対応付けに基づいて複数の色の画像に変換する。本実施形態では、対応関係記憶部１５２が記憶するテーブルに基づいて、読取画像受付部１４８が出力した単一色の画像データを複数色の画像データに変換する。具体的には、単一色の画像データから部分画像を順次切り出し、切り出した部分画像について明度及び網点配列を解析し、解析した明度及び網点配列をテーブルから検索する。そして、検索された明度及び網点配列に対応する色情報に基づいて、当該部分画像の色を変換する。また、色変換部１５４は、色変換した部分画像を表示部１６０に出力する。
【００８４】
なお、切り出す部分画像の大きさは、例えば、対応関係記憶部１５２に記憶されるテーブルに格納されたモノクロ構成画像の画像データのうち最も大きい画像データの大きさとすればよい。具体的には、例えば、１６画素×１６画素の大きさの部分画像を切り出せばよい。
【００８５】
また、本実施形態では、部分画像の明度及び網点配列についてテーブルから検索できなかった場合、色変換部１５４は、部分画像を指定色変換部１５８に出力する。
【００８６】
指定色受付部１５６は、テーブルに基づいて色変換できなかった場合に、ＵＩ装置１３６を介してユーザから変換すべき色についての指定を受付け、指定色変換部１５８に出力する。
【００８７】
指定色変換部１５８は、色変換部１５４が出力した部分画像について、指定色受付部１５６が受付けた色により色変換を行い、色変換を行なった部分画像を表示部１６０に出力する。
【００８８】
表示部１６０は、色変換部１５４又は指定色変換部１５８により色変換された各部分画像を統合し、ＵＩ装置１３６に表示する。
【００８９】
なお、上記説明では、テーブルに基づいて色変換できなかった場合に、指定色受付部１５６及び指定色変換部１５８により色変換を行なう構成としたが、指定色受付部１５６及び指定色変換部１５８を設けなくてもよい。また、指定色受付部１５６及び指定色変換部１５８に代えて、又は、指定色受付部１５６及び指定色変換部１５８とともに、下記の推測色変換部を設けてもよい。
【００９０】
推測色変換部は、テーブルに基づいて色変換できなかった部分画像について、当該部分画像に隣接する周囲の部分画像のうち、テーブルに基づいて色変換を行なった部分画像の変換後の色を参照し、参照した色から推測される色により色変換を行なう。例えば、推測色変換部は、テーブルに基く色変換が行なわれた部分画像の変換後の色と同じ色により色変換を行なう。
【００９１】
次に、対応関係を示すデータであるテーブルを生成する動作について説明する。
図１０は、テーブルを生成する動作を示すフローチャートである。
【００９２】
ステップ１００（Ｓ１００）において、印刷指示部１４６は、色見本画像データ記憶部１４４が記憶するカラー色見本画像を単一色で印刷する指示を画像形成装置１０に対し指示し、ステップ１０２へ移行する。
【００９３】
ステップ１０２（Ｓ１０２）において、読取画像受付部１４８は、画像形成装置１０が色見本画像データについて印刷した印刷物を撮像したデータ（モノクロ色見本画像）を受付ける。読取画像受付部１４８は、受付けたデータを対応付け部１５０に出力し、ステップ１０４へ移行する。
【００９４】
ステップ１０４（Ｓ１０４）において、対応付け部１５０は、色見本画像データ記憶部１４４に記憶されているカラー構成画像の総数を変数ｎにセットし、ステップ１０６へ移行する。
【００９５】
ステップ１０６（Ｓ１０６）において、対応付け部１５０は、カラー色見本画像に含まれるｎ個目のカラー構成画像のカラー色見本画像内での位置情報を抽出し、ステップ１０８へ移行する。
【００９６】
ステップ１０８（Ｓ１０８）において、対応付け部１５０は、ステップ１０６で抽出した位置に対応する位置のモノクロ構成画像をモノクロ色見本画像の中から特定し、ステップ１１０へ移行する。
【００９７】
ステップ１１０（Ｓ１１０）において、対応付け部１５０は、ステップ１０８で特定したモノクロ構成画像の明度及び網点配列を解析し、カラー構成画像の色情報と解析した明度及び網点配列とを互いに対応付けてテーブルに追加し、ステップ１１２へ移行する。
【００９８】
ステップ１１２（Ｓ１１２）において、対応付け部１５０は、変数ｎの値を１減少させ、ステップ１１４へ移行する。
【００９９】
ステップ１１４（Ｓ１１４）において、対応付け部１５０は、変数ｎの値が０よりも大きい場合、ステップ１０６へ移行し、変数ｎの値が０以下である場合ステップ１１６へ移行する。
【０１００】
ステップ１１６（Ｓ１１６）において、対応付け部１５０は、生成したテーブルを対応関係記憶部１５２に記憶する。
【０１０１】
次に、カラー画像を画像形成装置１０により単一色で印刷した画像について、色変換した画像を表示する動作について説明する。
図１１は、単一色の画像を色変換して表示する動作を示すフローチャートである。
【０１０２】
ステップ２００（Ｓ２００）において、読取画像受付部１４８は、印刷物を撮像して得られた画像データを受付ける。なお、撮像対象の印刷物は、画像形成装置１０がカラー画像データについて単一色で印刷したものである。読取画像受付部１４８は、受付けた画像データを色変換部１５４に出力し、ステップ２０２へ移行する。
【０１０３】
ステップ２０２（Ｓ２０２）において、色変換部１５４は、ステップ２００で読取画像受付部１４８が出力した画像データから部分画像データを切り出し、ステップ２０４へ移行する。
【０１０４】
ステップ２０４（Ｓ２０４）において、色変換部１５４は、ステップ２０２で切り出した部分画像データを解析し、当該部分画像の明度及び網点配列を抽出し、ステップ２０６へ移行する。
【０１０５】
ステップ２０６（Ｓ２０６）において、色変換部１５４は、ステップ２０４で抽出した明度及び網点配列に対応する色情報をテーブルから検索し、ステップ２０８へ移行する。
【０１０６】
ステップ２０８（Ｓ２０８）において、色変換部１５４は、抽出した明度及び網点配列をテーブルから検索できたか否かを判定し、検索できた場合はステップ２１０へ移行し、検索できなかった場合はステップ２１２へ移行する。
【０１０７】
ステップ２１０（Ｓ２１０）において、色変換部１５４は、検索された明度及び網点配列に対応する色情報に基づいて、部分画像の色を変換し、ステップ２１６へ移行する。
【０１０８】
一方、ステップ２１２（Ｓ２１２）では、指定色受付部１５６が、ユーザからの色の指定を受付け、ステップ２１４へ移行する。
【０１０９】
ステップ２１４（Ｓ２１４）において、指定色変換部１５８は、ステップ２１２で指定色受付部１５６が受付けた色により、部分画像の色を変換し、ステップ２１６へ移行する。
【０１１０】
ステップ２１６（Ｓ２１６）において、色変換部１５４は、ステップ２００で読取画像受付部１４８が出力した画像データの全体について色変換が行なわれたか否かを判定し、画像データの全体について色変換が行なわれた場合はステップ２１８へ移行し、画像データの全体について色変換が行なわれていない場合には次の部分画像について色変換すべくステップ２０２へ移行する。
【０１１１】
ステップ２１８（Ｓ２１８）において、表示部１６０は、色変換がなされた画像データを表示する。
【０１１２】
以上説明した第１の実施形態では、対応関係記憶部１５２は、対応付け部１５０が生成したテーブルを記憶する構成として説明したが、対応関係記憶部１５２は、他の画像処理装置が生成したテーブルを受信し、対応関係記憶部１５２に記憶してもよい。この場合、単一色の印刷物の画像データを複数色で表示するにあたり色見本画像データ記憶部１４４、印刷指示部１４６、及び対応付け部１５０を有する必要はない。
【０１１３】
次に、本発明の第２の実施形態について説明する。第２の実施形態では、第１の実施形態における画像形成装置１０の画像処理部２６を画像処理部１６２に置き換えている点で、第１の実施形態と異なる。
【０１１４】
第１の実施形態では、画像形成装置１０が単一色で印刷した画像について、画像処理装置６により色変換を行い表示した。
【０１１５】
一方、第２の実施形態では、画像形成装置１０により、色ごとに対応付けられた網点の配列を用いて、複数色の画像を単一色で印刷した印刷画像に対し、以下の処理を行なう。すなわち、この印刷画像を画像読取ユニット１４により読取り、印刷に用いた網点の配列に基づいて色変換を行い、複数色での印刷（カラー印刷）を行なう。
【０１１６】
図１２は、第２の実施形態に係る画像形成装置１０における画像処理部１６２の機能構成を示すブロック図である。
【０１１７】
以下、第１の実施形態に係る画像処理部２６と異なる構成部分について説明する。
図１２に示すように、画像処理部１６２は、画像処理部２６の構成のうち、入力画像受付部１１６を入力画像受付部１６４に、網点配列記憶部１２４を対応関係記憶部１６６に、それぞれ置き換え、さらに色変換部１６８が追加されている点で、画像処理部２６と異なる。
【０１１８】
対応関係記憶部１６６は、第１の実施形態に係る網点配列記憶部１２４と同様、単一色で印刷する場合にスクリーン処理で用いる網点配列を色ごとに記憶し、また、第１の実施形態に係る画像処理装置６の対応関係記憶部１５２と同様、複数の予め定められた色ごとに、明度及び網点配列と色情報とを互いに対応付ける対応関係を示すデータをテーブルとして記憶する。
【０１１９】
なお、明度及び網点配列と色情報とを対応付けるテーブルに格納されている網点配列と、スクリーン処理で用いる網点配列とは、同じ色については同じ網点配列である。
【０１２０】
入力画像受付部１６４は、第１の実施形態に係る入力画像受付部１１６の機能に加え、画像形成装置１０により印刷された単一色の印刷物を画像読取ユニット１４で読み取った入力画像データを色変換部１６８に出力する。
【０１２１】
なお、入力画像受付部１６４は、画像形成装置１０により印刷された単一色の画像についての入力画像データを画像処理装置６等から受け付けた場合も、色変換部１６８に出力する構成としてもよい。
【０１２２】
色変換部１６８は、第１の実施形態に係る画像処理装置６の色変換部１５４と同様、対応関係記憶部１６６が記憶するテーブルに基づいて、入力画像受付部１６４が出力した単一色の画像データを複数色の画像データに変換する。また、色変換部１６８は、色変換を行なった画像データをカラー色空間変換部１１８に出力する。
【０１２３】
以上が第２の実施形態に係る画像処理部１６２の構成となるが、この他にも例えば、第１の実施形態の画像処理装置６と同様、画像処理部１６２にさらに指定色受付部１５６及び指定色変換部１５８を設けてもよい。また、指定色受付部１５６及び指定色変換部１５８に代えて、又は、指定色受付部１５６及び指定色変換部１５８とともに、上述の推測色変換部を設けてもよい。
【０１２４】
次に、画像形成装置１０により色変換した画像を印刷する動作について説明する。
図１３は、単一色の画像を色変換して印刷する動作を示すフローチャートである。
【０１２５】
ステップ３００（Ｓ３００）において、画像読取ユニット１４が単一色で印刷された画像を読み取り、ステップ３０２へ移行する。ここで、読取対象の画像は、画像形成装置１０がカラー画像データについて単一色で印刷したものである。
【０１２６】
ステップ３０２（Ｓ３０２）において、入力画像受付部１６４は、ステップ３００で読み取られた画像データを受付け、色変換部１６８に出力し、ステップ３０４へ移行する。
【０１２７】
ステップ３０４（Ｓ３０４）において、色変換部１６８は、対応関係記憶部１６６が記憶するテーブルに基づいて、単一色の画像データを複数色の画像データに変換し、カラー色空間変換部１１８へ出力する。ここで、変換処理の具体的な動作の流れについては、図１１に示したステップ２０２からステップ２１６と同様である。
【０１２８】
ステップ３０６（Ｓ３０６）において、ステップ３０４で色変換がなされた画像データについて、複数色での印刷が行なわれる。具体的には、カラー色空間変換部１１８による色空間の変換、カラースクリーン処理部１２０Ｃ、１２０Ｍ、１２０Ｙ、１２０Ｋによるスクリーン処理が行なわれ、画像形成ユニット１６による印刷が行なわれる。
【０１２９】
第２の実施形態では、複数色の画像を、色ごとに対応付けられた網点の配列により単一色で印刷し、この網点の配列に基づいて色変換を行なう例を示したが、色変換は特定の画像形成装置が単一色の印刷をする際に色ごとに表れる当該画像形成装置固有の特徴に基づいて行なわれればよく、網点の配列を参照して行なわなくてもよい。
【０１３０】
特定の画像形成装置が単一色の印刷をする際に色ごとに表れる当該画像形成装置固有の特徴に基づいて色変換を行う場合、画像形成装置は、単一色の印刷において色ごとに対応付けられた網点の配列を用いる必要はない。なお、第１の実施形態において、画像処理装置６の構成として示した色見本画像データ記憶部１４４、印刷指示部１４６、対応付け部１５０を画像形成装置１０にさらに設け、画像形成装置１０が単一色で印刷する際の固有の特徴と色との対応関係として対応関係記憶部１６６に記憶することで実現することができる。
【符号の説明】
【０１３１】
２            情報処理システム
４            無線通信ネットワーク
６            画像処理装置
８            ネットワーク
１０          画像形成装置
１４          画像読取ユニット
２８          ＵＩ装置
１１６        入力画像受付部
１１８        カラー色空間変換部
１２０        カラースクリーン処理部
１２２        モノクロ色空間変換部
１２４        網点配列記憶部
１２６        網点配列選択部
１２８        モノクロスクリーン処理部
１３６        ＵＩ装置
１４０        撮像装置
１４４        色見本画像データ記憶部
１４６        印刷指示部
１４８        読取画像受付部
１５０        対応付け部
１５２        対応関係記憶部
１５４        色変換部
１５６        指定色受付部
１５８        指定色変換部
１６０        表示部
１６４        入力画像受付部
１６６        対応関係記憶部
１６８        色変換部
【図１】
0005907473.tif 000002
【図２】
0005907473.tif 000003
【図３】
0005907473.tif 000004
【図４】
0005907473.tif 000005
【図５】
0005907473.tif 000006
【図６】
0005907473.tif 000007
【図７】
0005907473.tif 000008
【図８】
0005907473.tif 000009
【図９】
0005907473.tif 000010
【図１０】
0005907473.tif 000011
【図１１】
0005907473.tif 000012
【図１２】
0005907473.tif 000013
【図１３】
0005907473.tif 000014